(57)【特許請求の範囲】
【請求項１】
芳香器具であって、
交替可能な芳香剤を固定するように構成され、前記芳香剤から放出された香りを吐き出すように構成された複数の吐出口を有するホルダー、及び
使用者に接近可能な操作部を有し、使用者によって前記操作部に加わった操作力によって前記ホルダーに対して移動できるように構成されるスライダーを備えてなり、
前記操作部は前記スライダーに力を伝達してスライダーを動かすように構成され、
前記スライダーは前記スライダーが動いた位置によって前記吐出口の開度を調節するように構成されてなり、
前記ホルダーは互いに対して回動するように構成された第１ホルダー部材及び第２ホルダー部材を備えてなり、
前記第１ホルダー部材及び第２ホルダー部材の間には前記芳香剤が設けられる芳香剤設置空間及びスライダーが移動するスライダー設置空間が形成され、
前記第１ホルダー部材は、列を成して配列される前記複数の吐出口、及び前記複数の吐出口のいずれか一つと連結され、前記スライダーの移動を案内するように構成されたスリットを備えてなり、
前記スライダーは、
前記スライダー設置空間に配置され、前記ホルダーに沿って移動して前記吐出口を覆うように構成されたプレート、及び
前記プレートに位置し、前記吐出口と重畳して前記芳香剤を外部に露出させる開度調節口を備えてなり、
前記操作部は前記吐出口に挿入されて前記スリットと連結され、前記第１ホルダー部材から外部に露出され、前記操作部を操作する使用者によって前記スリットに沿って移動するように構成されてなる、芳香器具。
【請求項２】
前記プレートは前記ホルダー内に配置され、前記操作部と一体に移動して前記吐出口を遮蔽する領域を変化させる、請求項１に記載の芳香器具。
【請求項３】
前記開度調節口は複数が形成され、前記複数の開度調節口及び操作部は一列に配置される、請求項１に記載の芳香器具。
【請求項４】
前記スライダーは干渉突起を備えてなり、
前記ホルダーは、前記スライダーの移動によって前記干渉突起と干渉する少なくとも一つの位置設定突起を備えてなり、
前記位置設定突起及び干渉突起の相互干渉によって前記吐出口及び開度調節口間の重畳する面積が維持される、請求項１に記載の芳香器具。
【請求項５】
前記吐出口は前記第１ホルダー部材に位置し、
前記芳香剤は前記第１ホルダー部材及び第２ホルダー部材の間に装着され、
前記スライダーは前記芳香剤と第１ホルダー部材の間に配置される、請求項１に記載の芳香器具。
【請求項６】
前記第１ホルダー部材は、前記スライダーの移動範囲を制限するように構成された移動制限突起を備えてなる、請求項１に記載の芳香器具。
【請求項７】
前記スライダーは干渉突起を備えてなり、
前記ホルダーは前記スライダーの移動によって前記干渉突起と干渉するように構成された少なくとも一つの位置設定突起を備えてなり、
前記位置設定突起及び干渉突起の相互干渉によって前記吐出口及び開度調節口間の重畳する面積が維持される、請求項１に記載の芳香器具。
【請求項８】
衣類処理装置であって、
衣類を収容するように構成された処理チャンバー及び機械装置を収容するように構成されたサイクルチャンバーを備えるケース、
前記サイクルチャンバーに設けられ、前記処理チャンバーの空気を循環させるように構成される送風ユニット、及び
前記処理チャンバーに分離可能に配置され、前記処理チャンバー内に香りを拡散させるように構成されたアロマ器具を備えてなり、
前記アロマ器具は、
交替可能な芳香剤を固定するように構成され、前記芳香剤から放出された香りを吐き出すように構成された複数の吐出口を有するホルダー、及び
使用者に接近可能な操作部を備え、使用者によって操作部に加わった操作力によって前記ホルダーに対して動くように構成されるスライダーを備えてなり、
前記操作部は操作力を前記スライダーに伝達してスライダーが動くようにし、
前記スライダーは前記スライダーが移動した位置によって前記吐出口の開度を調節するように構成されてなり、
前記ホルダーは互いに対して回動するように構成された第１ホルダー部材及び第２ホルダー部材を備えてなり、
前記第１ホルダー部材及び第２ホルダー部材の間には前記芳香剤が設けられる芳香剤設置空間及びスライダーが設けられるスライダー設置空間が形成され、
前記第１ホルダー部材は、複数列を成して配列される前記複数の吐出口、及び前記複数の吐出口のいずれか一つと連結されて前記スライダーの移動を案内するように構成されたスリットを備えてなり、
前記スライダーは、
前記スライダー設置空間に配置され、前記ホルダーに沿って移動して前記吐出口を覆うように構成されたプレート、及び
前記プレートに形成され、前記吐出口と重畳して前記芳香剤を外部に露出させるように構成された開度調節口を備えてなり、
前記操作部は前記吐出口に挿入され、前記スリットと連結されて前記第１ホルダー部材から外部に露出され、操作部を操作する使用者によって前記スリットに沿って移動するように構成される、衣類処理装置。
【請求項９】
前記処理チャンバーを形成する吐出パネルをさらに備えてなり、前記吐出パネルは前記送風ユニットから吐き出された空気を吐き出すように構成された送風口を備えてなり、前記アロマ器具は前記吐出パネルに分離可能に装着された、請求項８に記載の衣類処理装置。
【請求項１０】
前記アロマ器具は前記送風口に分離可能に設けられる、請求項９に記載の衣類処理装置。
【請求項１１】
前記処理チャンバー内にスチームを提供するように構成されたスチームユニットをさらに備えてなり、
前記スチームユニットは前記サイクルチャンバー内に装着され、
前記吐出パネルは、前記スチームユニットによって生成されたスチームを吐き出すように構成されたスチーム吐出口をさらに備えてなる、請求項９に記載の衣類処理装置。
【請求項１２】
前記開度調節口は複数が形成され、前記複数の開度調節口及び操作部は一列に配列される、請求項８に記載の衣類処理装置。
【請求項１３】
前記スライダーは干渉突起を備えてなり、
前記ホルダーは前記スライダーの移動によって前記干渉突起と干渉するように構成された少なくとも一つの位置設定突起を備えてなり、
前記位置設定突起及び干渉突起の相互干渉によって前記吐出口及び開度調節口間の重畳する面積が維持される、請求項８に記載の衣類処理装置。
【請求項１４】
前記吐出口は前記第１ホルダー部材に位置し、
前記芳香剤は前記第１ホルダー部材及び第２ホルダー部材の間に設けられ、
前記スライダーは前記芳香剤と第１ホルダー部材の間に配置される、請求項８に記載の衣類処理装置。
【請求項１５】
前記ホルダーは、
前記第１ホルダー部材の内部に形成され、前記スライダーが移動可能に設けられるスライダー設置空間、及び
前記第２ホルダー部材の内部に形成され、交替可能な前記芳香剤が装着される芳香剤設置空間をさらに備えてなる、請求項１４に記載の衣類処理装置。
【発明の詳細な説明】
【技術分野】
【０００１】
本発明は衣類処理装置に関するものである。
【背景技術】
【０００２】
衣類処理装置は衣類の洗濯、乾燥、しわ（皺）改善などのように衣類を処理するのに使うための装置を意味する。衣類処理装置は家庭又はランドリーで使うことができる。
【０００３】
衣類処理装置の色々の分類がある。これらの分類には、洗濯機、乾燥機、乾燥兼用洗濯機、リフレッシャー（Ｒｅｆｒｅｓｈｅｒ）及びスチーマー（Ｓｔｅａｍｅｒ）がある。洗濯機は衣類を洗濯するのに使うことができ、乾燥機は衣類を乾燥させるのに使うことができ、乾燥兼用洗濯機は洗濯と乾燥の機能を有することができ、リフレッシャーは衣類をリフレッシュするのに使うことができ、スチーマーは衣類のしわを除去するのに使うことができる。
【０００４】
より具体的に、リフレッシャーは衣類の状態を快適で新鮮にするのに使う装置で、衣類を乾燥させるとか、衣類に香りを供給するとか、衣類の静電気発生を防止するとか、衣類のしわを改善させるなどの機能をする。
【０００５】
スチーマーは一般的に衣類にスチームを供給して衣類のしわを除去するのに使う装置で、一般的なアイロンとは違い、衣類に直接熱を加えずに衣類のしわを除去する。
【０００６】
このようなリフレッシャー及びスチーマーの機能を全て有する衣類処理装置はスチームと熱風を用いて内部に収納された衣類のしわ及び臭いの除去などの機能をすることができる。
【０００７】
衣類処理装置には衣類を収容した処理チャンバー内に香りを放出するアロマ器具が使われることができる。
【発明の概要】
【発明が解決しようとする課題】
【０００８】
本発明が解決しようとする課題は、放出される芳香りの量又は濃度を使用者が調節することができる芳香器具及びこれを備えた衣類処理装置を提供することである。
【課題を解決するための手段】
【０００９】
本出願で説明する主題の革新的な面によると、芳香器具は、交替可能な芳香剤を固定するように構成され、前記芳香剤から放出された香りを吐き出すように構成された少なくとも一つの吐出口を有するホルダー；及び使用者に接近可能な操作部を有し、使用者によって前記操作部に加わった操作力によって前記ホルダーに対して移動できるように構成されるスライダーを含み、前記操作部は前記スライダーに力を伝達してスライダーを動かすように構成され、前記スライダーは前記スライダーが動いた位置によって前記吐出口の開度を調節するように構成される。
【００１０】
前記芳香器具は次の選択的な特徴の一つ以上を含むことができる。
【００１１】
前記スライダーは、前記ホルダー内に配置され、前記ホルダーに沿って移動して前記吐出口を覆うように構成されたプレート；前記プレートに形成され、前記吐出口と重畳して前記芳香剤を外部に露出させる開度調節口；及び前記プレートに配置され、前記ホルダーの外部に露出され、使用者によって加わった操作力を前記プレートに伝達するように構成された前記操作部を含み、前記プレートは前記ホルダー内に配置され、前記操作部と一体に移動して前記吐出口を遮蔽する領域を変化させる。前記ホルダーには前記操作部の移動方向を案内するように構成されたスリットが形成され、前記操作部は前記スリットに沿って移動する。
【００１２】
前記開度調節口は複数が形成され、前記複数の開度調節口及び操作部は一列に配置される。前記スライダーは干渉突起を含み、前記ホルダーは前記スライダーの移動によって前記干渉突起と干渉する少なくとも一つの位置設定突起を含み、前記位置設定突起及び干渉突起の相互干渉によって前記吐出口及び開度調節口間の重畳する面積が維持される。前記ホルダーは互いに対して回動するように構成された第１ホルダー部材及び第２ホルダー部材を含み、前記吐出口は前記第１ホルダー部材に位置し、前記芳香剤は前記第１ホルダー部材及び第２ホルダー部材の間に装着され、前記スライダーは前記芳香剤と第１ホルダー部材の間に配置される。
【００１３】
前記第１ホルダー部材は、複数が列を成して配列される前記吐出口；及び前記複数の吐出口のいずれか一つと連結され、前記スライダーの移動を案内するように構成されたスリットを含む。前記操作部は前記吐出口に挿入されて前記スリットと連結され、前記スリットに沿って移動するように構成される。前記第１ホルダー部材は前記スライダーの移動範囲を制限するように構成された移動制限突起を含む。前記スライダーは干渉突起を含み、前記ホルダーは前記スライダーの移動によって前記干渉突起と干渉するように構成された少なくとも一つの位置設定突起を含み、前記位置設定突起及び干渉突起の相互干渉によって前記吐出口及び開度調節口間の重畳する面積が維持される。
【００１４】
前記ホルダーは互いに対して回動するように構成された第１ホルダー部材及び第２ホルダー部材を含み、前記第１ホルダー部材及び第２ホルダー部材の間には前記芳香剤が設けられる芳香剤設置空間及びスライダーが移動するスライダー設置空間が形成され、前記第１ホルダー部材は、複数が列を成して配列される複数の吐出口；及び前記複数の吐出口のいずれか一つと連結され、前記スライダーの移動を案内するように構成されたスリットを含み、前記スライダーは、前記スライダー設置空間に配置され、前記ホルダーに沿って移動して前記吐出口を覆うように構成されたプレート；及び前記プレートに位置し、前記吐出口と重畳して前記芳香剤を外部に露出させる開度調節口を含み、前記操作部は前記吐出口に挿入されて前記スリットと連結され、前記第１ホルダー部材から外部に露出され、前記操作部を操作する使用者によって前記スリットに沿って移動するように構成される。
【００１５】
本出願で説明する主題の他の革新的な面によると、衣類処理装置は、衣類を収容するように構成された処理チャンバー及び機械装置を収容するように構成されたサイクルチャンバーを備えるケース；前記サイクルチャンバーに設けられ、前記処理チャンバーの空気を循環させるように構成される送風ユニット；及び前記処理チャンバーに分離可能に配置され、前記処理チャンバー内に香りを拡散させるように構成されたアロマ器具を含み、前記アロマ器具は、交替可能な芳香剤を固定するように構成され、前記芳香剤から放出された香りを吐き出すように構成された少なくとも一つの吐出口を有するホルダー；及び使用者に接近可能な操作部を備え、使用者によって操作部に加わった操作力によって前記ホルダーに対して動くように構成されるスライダーを含み、前記操作部は操作力を前記スライダーに伝達してスライダーが動くようにし、前記スライダーは前記スライダーが移動した位置によって前記吐出口の開度を調節するように構成される。
【００１６】
前記アロマ器具は次の選択的特徴の一つ以上を含むことができる。前記芳香器具は前記処理チャンバーを形成する吐出パネルを含み、前記吐出パネルは前記送風ユニットから吐き出された空気を吐き出すように構成された送風口を含み、前記アロマ器具は前記吐出パネルに分離可能に装着される。前記アロマ器具は前記送風口に分離可能に設けられる。前記芳香器具は前記処理チャンバー内にスチームを提供するように構成されたスチームユニットを含み、前記スチームユニットは前記サイクルチャンバー内に装着され、前記吐出パネルは前記スチームユニットによって生成されたスチームを吐き出すように構成されたスチーム吐出口をさらに含む。
【００１７】
前記ホルダーは互いに対して回動するように構成された第１ホルダー部材及び第２ホルダー部材を含み、前記第１ホルダー部材及び第２ホルダー部材の間には前記芳香剤が設けられる芳香剤設置空間及びスライダーが設けられるスライダー設置空間が形成され、前記第１ホルダー部材は、複数が列を成して配列される複数の吐出口；及び前記複数の吐出口のいずれか一つと連結され、前記スライダーの移動を案内するように構成されたスリットを含み、前記スライダーは、前記スライダー設置空間に配置され、前記ホルダーに沿って移動して前記吐出口を覆うように構成されたプレート；及び前記プレートに形成され、前記吐出口と重畳して前記芳香剤を外部に露出させるように構成された開度調節口を含み、前記操作部は前記吐出口に挿入されて前記スリットと連結され、前記第１ホルダー部材から外部に露出され、操作部を操作する使用者によって前記スリットに沿って移動するように構成される。
【００１８】
前記スライダーは、前記ホルダー内に配置され、前記ホルダーに沿って移動して前記吐出口を覆うように構成されたプレート；及び前記プレートに位置し、前記吐出口と重畳して前記芳香剤を外部に露出させる開度調節口を含み、前記操作部は前記プレートに配置され、前記ホルダーの外部に露出され、使用者によって加わった操作力を前記プレートに伝達し、前記プレートは前記ホルダー内に配置され、前記操作部と一体に移動して前記吐出口を遮蔽する領域を変化させる。前記開度調節口は複数が形成され、前記複数の開度調節口及び操作部は一列に配列される。前記スライダーは干渉突起を含み、前記ホルダーは前記スライダーの移動によって前記干渉突起と干渉するように構成された少なくとも一つの位置設定突起を含み、前記位置設定突起及び干渉突起の相互干渉によって前記吐出口及び開度調節口間の重畳する面積が維持される。
【００１９】
前記ホルダーは互いに対して回動するように構成された第１ホルダー部材及び第２ホルダー部材を含み、前記吐出口は前記第１ホルダー部材に位置し、前記芳香剤は前記第１ホルダー部材及び第２ホルダー部材の間に設けられ、前記スライダーは前記芳香剤と第１ホルダー部材の間に配置される。前記ホルダーは、前記第１ホルダー部材の内部に形成され、前記スライダーが移動可能に設けられるスライダー設置空間；及び前記第２ホルダー部材の内部に形成され、交替可能な前記芳香剤が装着される芳香剤設置空間をさらに含む。
【発明の効果】
【００２０】
本発明の芳香器具及び衣類処理装置は次のような効果がある。
【００２１】
一番目、操作部によって放出される香りの量を使用者が任意に調節することができる効果がある。
【００２２】
二番目、別個の動力を用いず、使用者の自力による簡単な操作のみで放出される香りの量を調節することができる効果がある。
【００２３】
三番目、アロマ器具を処理チャンバーから分離することができ、芳香剤を入れ替えることができる利点がある。
【００２４】
四番目、操作部の位置及び開度調節部の位置が一列に配置されるから、使用者が吐出口の開度量をより直観的に確認することができる利点がある。
【００２５】
五番目、操作部がスリットと連結された吐出口を通じて設けられるから、操作部設置のための別個の構造を省略することができる利点がある。
【００２６】
六番目、干渉突起及び位置設定突起の相互干渉によってスライダーの移動した位置を維持することができ、これによって吐出口及び開度調節口間の重畳する面積を維持することができる利点がある。
【００２７】
七番目、スライダーによって芳香剤が遮られるから、所望の時にだけ香りを処理チャンバーの内部に供給することができ、芳香剤の寿命を延ばすことができる利点がある。
【図面の簡単な説明】
【００２８】
【図１】一例の衣類処理装置を正面から見た斜視図である。
【図２】図１の衣類処理装置から分離された一例のアロマ器具を示した斜視図である。
【図３】一例のサイクルアセンブリーの分解斜視図である。
【図４】一例のサイクルアセンブリーの斜視図である。
【図５】図２に示したアロマ器具の斜視図である。
【図６】図５に表示したＡ部を詳細に示す斜視図である。
【図７】図５に表示したＢ部を詳細に示す分解斜視図である。
【図８】図５のアロマ器具の分解斜視図である。
【図９】図５のアロマ器具を開放した斜視図である。
【図１０】図５に示したアロマ器具の吐出口が全く閉まった時の第１作動例示図である。
【図１１】図１０に示した線Ｃ−Ｃ’に沿って切断した断面図である。
【図１２】図１０に示したアロマ器具の吐出口が１／３開放した時の第２作動例示図である。
【図１３】図１２に示した線Ｄ−Ｄ’に沿って切断した断面図である。
【図１４】図１０に示したアロマ器具の吐出口が２／３開放した時の第３作動例示図である。
【図１５】図１４に示した線Ｅ−Ｅ’に沿って切断した断面図である。
【図１６】図１０に示したアロマ器具の吐出口が全く開放した時の第４作動例示図である。
【図１７】図１６に示した線Ｆ−Ｆ’に沿って切断した断面図である。
【図１８】一例の衣類処理装置のブロック図である。
【発明を実施するための形態】
【００２９】
図１〜図４及び図１６を参照して一例の衣類処理装置について説明する。
【００３０】
本実施例による衣類処理装置１は、前面が開放した処理チャンバー１２を形成するケース１０と、処理チャンバー１２の前面を開閉するドア２０とを含む。
【００３１】
前記ケース１０の内部は分離板１１によって上下に区画される。前記分離板１１の上側に衣類がつるされる処理チャンバー１２が形成される。前記分離板１１の下側には機械装置が設けられるサイクルチャンバー１４が形成される。
【００３２】
前記処理チャンバー１２には衣類が吊るされ、スチーム又は空気の循環などによって衣類のしわを除去するとか臭いを脱臭する。
【００３３】
処理チャンバー１２の上部には衣類を掛けるハンガーがかかるハンガー支持棒１３が備えられる。ハンガー支持棒１３はモーターなどの駆動装置によって処理チャンバー１２内で前後、上下及び／又は左右方向に運動するように構成されることができ、このような運動は一定の周期の往復運動が好ましい。
【００３４】
前記処理チャンバー１２内には送風口１６及びスチーム吐出口１７が形成される。
【００３５】
本実施例では、送風口１６及びスチーム吐出口１７が吐出パネル１５に形成される。
【００３６】
前記送風口１６又はスチーム吐出口１７は相異なるパネルに設けられることができる。本実施例で、前記吐出パネル１５はサイクルチャンバー１４の一部面を形成する。前記吐出パネル１５は分離板１１の後方側に位置する。前記吐出パネル１５は分離板１１と連続した面を形成し、前記分離板１１に向かって傾くように配置される。
【００３７】
送風ユニット３０によって押送された空気が前記送風口１６を通じて吐き出される。
【００３８】
スチームユニット４０で生成されたスチームが前記スチーム吐出口１７を通じて吐き出される。
【００３９】
前記サイクルチャンバー１４には、前記処理チャンバー１２内の空気を循環させる送風ユニット３０と、前記処理チャンバー１２にスチームを提供するスチームユニット４０と、前記処理チャンバー１２の空気を空気調和させるヒートポンプユニット５０と、前記各ユニット３０、４０、５０を制御する制御ユニット６０とが設けられる。
【００４０】
前記送風ユニット３０、スチームユニット４０、ヒートポンプユニット５０、制御ユニット６０などのように衣類処理装置の各行程を駆動させるための機械装置の組立体を本実施例ではサイクルアセンブリーと定義する。
【００４１】
前記送風ユニット３０は送風ファン３２と吸気口３４を含む。
【００４２】
前記吸気口３４は前記送風ファン３２の吸入側に設けられ、前記処理チャンバー１２の内部空気を前記送風ファン３２に案内する。
【００４３】
前記送風ファン３２はファンの回転によって空気を流動させ、前記処理チャンバー１２から空気を吸入した後、前記ヒートポンプユニット５０に吐き出す。
【００４４】
前記スチームユニット４０は印加電源によって発熱し、後述する給水タンク８０から水を受け、水を蒸気に変換させる。生成されたスチームは処理チャンバー１２に吐き出される。
【００４５】
本実施例では、前記ヒートポンプユニット５０を通じて前記処理チャンバー１２に流動するように流路が構成される。
【００４６】
前記ヒートポンプユニット５０は、圧縮器、凝縮器、蒸発器、膨脹バルブを含む冷凍サイクルで構成される。前記ヒートポンプユニット５０は作動モードによって前記処理チャンバー１２の内部に冷却空気又は加熱空気を吐き出すことができる。
【００４７】
前記ヒートポンプユニット５０は、冷媒との熱交換によって加熱された前記凝縮器周辺の空気が前記送風ユニット３０によって処理チャンバー１２内に供給されることができる。このように、処理チャンバー１２内に供給された高温の空気はハンガー支持棒１３に吊るされた衣類を処理するのに使われる。前記ヒートポンプユニット５０は作動せずに前記送風ユニットのみ作動する場合、処理チャンバー１２内には常温の空気が供給される。また、前記蒸発器によって冷却された空気が送風ユニット５０によって処理チャンバー１２内に供給されることも可能である。
【００４８】
前記ヒートポンプユニット５０は前記処理チャンバー１２内の水分を除湿することもできる。
【００４９】
前記サイクルチャンバー１４の前方には水を貯蔵するタンクモジュール７０が設けられる。前記タンクモジュール７０は、前記スチームユニット４０に水を供給する給水タンク８０と、前記処理チャンバー１２で生成された凝縮水を集めて貯蔵するドレインタンク９０とを含む。
【００５０】
前記給水タンク８０には前記給水タンク８０に貯蔵された水の水位を感知する給水水位センサー８１が設けられる。前記ドレインタンク９０には前記ドレインタンク９０に貯蔵された水の水位を感知するドレイン水位センサー９１が設けられる。
【００５１】
給水タンク８０の水は給水ポンプ４５を通じてスチームユニット４０に流動する。
【００５２】
処理チャンバー１２で生成された凝縮水は自重によって処理チャンバーの下側に流動した後、ドレインポンプ４６を通じてドレインタンク９０に流動する。前記ヒートポンプユニット５０で生成された凝縮水も前記ドレインポンプ４６を通じてドレインタンク９０に流動する。
【００５３】
前記給水ポンプ４６又はドレインポンプ４６は制御ユニット６０によって制御される。
【００５４】
本実施例では、前記吸気口３４の前方側にタンクモジュールフレーム７１が設けられる。
【００５５】
前記タンクモジュールフレーム７１及びドア２０の間にはタンク設置空間７３が形成される。前記タンクモジュールフレーム７１は前記分離板１１と結合して前記サイクルチャンバー１４を外部から分離させる。
【００５６】
前記タンク設置空間７３の前方側には給水タンク８０又はドレインタンク９０の中で少なくともいずれか一つと互いに干渉するタンク支持バー７５が設けられる。
【００５７】
前記タンク支持バー７５は前記給水タンク８０又はドレインタンク９０がタンク設置空間７３から意図に反して分離されることを防止する。前記タンク支持バー７５は前記給水タンク８０及びドレインタンク９０の前方を支持する。
【００５８】
それで、ドア２０の開閉時、前記給水タンク８０及びドレインタンク９０がタンク設置空間７３から離脱することを抑制する。
【００５９】
本実施例で、前記給水タンク８０の下端は前記タンク支持バー７５の上端にかけられる。前記ドレインタンク９０の下端は前記タンク支持バー７５の上端にかけられる。
【００６０】
給水タンク８０又はドレインタンク９０の中で少なくともいずれか一方には前記タンク支持バー７５と互いに干渉するタンク支持端７９が形成される。
【００６１】
前記タンク支持端７９は凹むように陥没して形成される。
【００６２】
前記タンク支持端７９によって前記タンク支持バー７５及び給水タンク８０の前面は連続した面を形成することができる。前記タンク支持端７９によって前記タンク支持バー７５及びドレインタンク９０の前面は連続した面を形成することができる。
【００６３】
前記給水タンク８０及びドレインタンク９０はタンク設置空間７３に配置され、左右に並列配置される。前記給水タンク８０及びドレインタンク９０はドア２０の開放時に使用者に露出される。
【００６４】
前記給水タンク８０及びドレインタンク９０は使用者が引き出すことができる。
【００６５】
前記給水タンク８０及びドレインタンク９０はタンクモジュールフレーム７１から分離可能である。前記給水タンク８０及びドレインタンク９０はタンク設置空間７３に着脱可能である。
【００６６】
前記給水タンク８０は前記スチームユニット４０と連結されて水を供給し、前記ドレインタンク９０は前記処理チャンバー１２と連結され、前記処理チャンバー１２又はヒートポンプユニット５０から流入した水が貯蔵される。
【００６７】
前記ドレインタンク９０は前記給水タンク８０と機能的に同一である。前記ドレインタンク９０は前記給水タンク８０に並んで配置される。
【００６８】
衣類処理装置１は、処理チャンバー１２内に香りを放出する芳香器具１００が設けられることができる。芳香器具１００は処理チャンバー１２内に備えられることができ、使用者が入れ替ることができる。
【００６９】
本実施例では、芳香器具１００が吐出パネル１５に着脱可能に備えられる。芳香器具１００は吐出パネル１５に形成された開口部に挿入される。使用者は引っぱる簡単な動作で吐出パネル１５から芳香器具１００を分離することができる。
【００７０】
芳香器具１００には取っ手１２９が形成可能である。使用者は前記取っ手１２９を握って芳香器具１００を吐出パネル１５から分離することができる。
【００７１】
芳香器具１００は前記送風ユニット３０によって移送された空気を送風口１６に案内する流路上に備えられることが好ましい。これに限られなく、芳香器具１００は処理チャンバー１２内に香りを供給することができる限り、吐出パネル１５以外の他の構成（例えば、ドア２０）に着脱可能に備えられることも可能である。
【００７２】
図５〜図１７を参照して一例のアロマ器具について説明する。
【００７３】
前記芳香器具１００は交替可能な芳香剤５が内部に設けられる。
【００７４】
前記芳香器具１００は吐出パネル１５に着脱可能に設けられる。
【００７５】
前記芳香器具１００は、内部に芳香剤５が設けられ、少なくとも一つの吐出口１２４が形成されたホルダー１１０と、前記ホルダー１１０に対して移動可能に備えられ、自分の位置によって吐出口１２４の開度を調節するスライダー１４０とを含む。
【００７６】
前記芳香剤５は香りを放出する物質で形成され、空気中に露出される場合、香りを空気中に放出する。前記芳香剤５は本実施例でシート状に製作される。前記芳香剤５は粒子状、液状などの多様な形状に製作することができる。
【００７７】
前記芳香剤５の機能が尽くされれば、使用者は芳香器具１００を処理チャンバー吐出パネル１５から分離した後、新しいものに入れ替ることができる。
【００７８】
ホルダー１１０は内部に芳香剤５を収容する芳香剤設置空間１１１が形成される。芳香剤５から放出された香は吐出口１２４を通じて外部に拡散する。
【００７９】
前記吐出口１２４は多数が備えられることができる。本実施例で、前記吐出口１２４は複数列を形成する。前記吐出口１２４は長手方向に複数列を形成する。
【００８０】
前記吐出口１２４はスライダー１４０の移動方向に沿って互いに離隔した２列Ｌ１、Ｌ２（図５参照）を形成する。各列Ｌ１、Ｌ２を構成する吐出口１２４の開度はスライダー１４０によって同時に調節される。
【００８１】
以下、区分が必要な場合、第１列Ｌ１を構成する吐出口１２４を第１吐出口と言い、第２列Ｌ２を構成する吐出口１２４を第２吐出口と言う。
【００８２】
前記スライダー１４０は、少なくとも一部がホルダー１１０の外部に露出され、使用者は露出された部位を通じて操作力を伝達することができる。前記スライダー１４０は使用者の操作力によって移動することができ、移動によって前記第１吐出口及び第２吐出口の開度を調節することができる。
【００８３】
前記ホルダー１１０は第１ホルダー部材１２０及び第２ホルダー部材１３０を含み、前記第１ホルダー部材１２０及び第２ホルダー部材１３０の間に芳香剤５が設けられる芳香剤設置空間１１１が形成される。
【００８４】
前記芳香剤設置空間１１１は第１ホルダー部材１２０又は第２ホルダー部材１３０のどこに形成されても構わない。本実施例では、前記第２ホルダー部材１３０の内側に芳香剤設置空間１１１が形成される。前記第１ホルダー部材１２０の内側にはスライダー１４０設置空間１１３が形成される。
【００８５】
前記吐出口１２４は第１ホルダー部材１２０又は第２ホルダー部材１３０の中で少なくとも一方に形成可能である。本実施例で、前記吐出口１２４は第１ホルダー部材１２０に形成される。
【００８６】
第１ホルダー部材１２０はスライダー設置空間１１３が形成された第１ハウジング１２１を含む。
【００８７】
前記第２ホルダー部材１３０は芳香剤設置空間１１１が形成される第２ハウジング１３１を含む。
【００８８】
前記芳香剤５とスライダー１４０は互いに対向するように配置される。
【００８９】
前記第１ハウジング１２１には複数の吐出口１２４及びスリット１２５が形成される。
【００９０】
前記スリット１２５は前記第１ホルダー部材１２０の長手方向に長く延設され、前記スライダー１４０の移動方向を案内する。
【００９１】
前記スリット１２５は前記吐出口１２４とは別に形成可能である。本実施例では、前記スリット１２５が吐出口１２４のいずれか一つと連結されるように形成される。
【００９２】
本実施例で、前記スリット１２５と連結された吐出口１２４は前記スライダー１４０を取り付けるための操作部設置ホールとして使われる。前記操作部設置ホールは吐出口とは別に形成されても構わない。
【００９３】
前記吐出口１２４ａは前記スリット１２５より広く形成される。
【００９４】
第１ホルダー部材１２０及び第２ホルダー部材１３０は分離可能となるように互いに結合することができる。さらに、第１ホルダー部材１２０と第２ホルダー部材１３０は互いに対して回転するように連結可能である。
【００９５】
このために、第１ホルダー部材１２０及び第２ホルダー部材１３０のいずれか一方は他方に対する回転軸となるピボット１２７を含むことができ、前記他方はピボット１２７と回転可能に結合するヒンジ結合部１３２を含むことができる。
【００９６】
ヒンジ結合部１３２はピボット１２７に分離可能に結合することができる。ヒンジ結合部１３２はピボット１２７と対応して長く伸びる。
【００９７】
前記ヒンジ結合部１３２はピボット１２７が挿入される溝１３２ａ（図６参照）が形成可能である。ヒンジ結合部１３２は、ピボット１２７が溝１３２ａを通過するとき、溝１３２ａ周辺部が多少弾性変形可能な素材（例えば、合成樹脂）で形成される。好ましくは、第１ホルダー部材１２０、第２ホルダー部材１３０及び／又はスライダー１４０が合成樹脂材の射出物でなる。
【００９８】
前記ヒンジ結合部１３２及びピボット１２７は嵌め合わせの方式で結合する。このように結合されるとき、前記ヒンジ結合部１３２はピボット１２７が挿入できるように弾性変形する。前記ピボット１２７が分離されるときにも前記ヒンジ結合部１３２は弾性変形することができる。
【００９９】
前記スライダー１４０は、前記ホルダー１１０の内部に配置され、前記ホルダー１１０に沿って移動するプレート１４１と、前記プレート１４１に形成され、前記ホルダー１１０の外部に露出され、使用者の操作力を受け、前記スリット１２５に沿って移動する操作部１４２と、前記プレート１４１に形成され、前記吐出口１２４と重畳して前記芳香剤５を露出させる開度調節口１４４とを含む。
【０１００】
前記スライダー１４０は、ホルダー１１０内に配置され、スライダー１４０の位置によって吐出口１２４を遮蔽する領域が可変するプレート１４１を含むことができる。
【０１０１】
前記スライダー１４０を構成する要素のうち、ホルダー１１０の外部に露出された部分を操作部１４２と言う。操作部１４２はスライダー１４０の一部を構成する。本実施例のように、前記操作部１４２はプレート１４１から突出することができる。プレート１４１の一部を外部に露出させることができる構造にホルダーが構成された場合、前記ホルダーの外部に露出されたプレート１４１の一部が操作部として使われることができる。
【０１０２】
吐出口１２４はプレート１４１によって遮蔽される領域によって開度が調節される。この時、プレート１４１は操作部１４２を基準として一側部が第１吐出口１２４の開度を調節し、他側部が第２吐出口１２４の開度を調節する。
【０１０３】
ホルダー１１０には操作部１４２の移動方向に長く伸びるスリット１２５が形成可能である。この場合、操作部１４２はスリット１２５に沿って移動する。スリット１２５は吐出口１２４のいずれか一つ１２４ａから伸びることができる。スリット１２５と連結された吐出口１２４ａは操作部１４２を通過することが可能な程度の大きさとならなければならない。
【０１０４】
前記吐出口１２４ａの内側から前記操作部１４２が挿入され、前記第１ホルダー部材１２０の外部に突出する。
【０１０５】
スリット１２５は吐出口１２４よりは小さな幅で形成され、スライダー１４０の移動方向に沿って長く伸びる。操作部１４２はスリット１２５を通過することが可能な程度の小さな幅を有する連結部によってプレート１４１と連結される。
【０１０６】
芳香器具１００から放出される香りの量は吐出口１２４の開度によって決定可能である。前記吐出口１２４の開度は操作部１４２の位置に対応する。
【０１０７】
前記プレート１４１が移動しながら吐出口１２４の遮蔽領域を調節する。図１０〜図１７を参照すると、操作部１４２の位置によって吐出口１２４の開度が多段階で調節可能であることが分かる。
【０１０８】
前記スライダー１４０において、前記操作部１４２は開度調節口１４４の中心に位置する。前記操作部１４２を中心に上側に配置された開度調節口１４４と下側に配置された開度調節口１４４が対称となる。
【０１０９】
前記スリット１２５はホルダー１１０の中心に位置する。前記操作部１４２は前記ホルダー１１０の中心に配置されたスリット１２５に沿って移動する。使用者は前記操作部１４２の位置を直観的に確認することができる。
【０１１０】
前記開度調節口１４４は複数が配置される。前記複数の開度調節口１４４は第１列Ｌ１又は第２列Ｌ２の吐出口１２４のいずれか一つと重畳する。
【０１１１】
例えば、前記開度調節口１４４は第１列Ｌ１の吐出口１２４の開度量を同時に調節することができる。前記芳香剤５は前記開度調節口１４４を通じて吐出口１２４から露出される。
【０１１２】
本実施例では、一つの開度調節口１４４が一つの吐出口１２４と重畳する。
【０１１３】
複数の開度調節口１４４及び操作部１４２は一列で配置される。
【０１１４】
それで、操作部１４２が移動した距離だけ開度調節口１４４も一緒に移動する。
【０１１５】
このような配置によって使用者は吐出口１２４の開度量を直観的に確認することができる。移動した操作部１４２の位置によって前記吐出口１２４の開度が調節される。
【０１１６】
それで、操作部１４２が吐出口１２４と同じ列に位置すれば、前記吐出口１２４は完全開放状態となる。これとは違い、前記操作部１４２が吐出口１２４から全くずれて配置されれば、前記吐出口１２４が全く閉鎖される。
【０１１７】
前記スライダー１４０は少なくとも一つの干渉突起１４３が形成可能である。
【０１１８】
前記ホルダー１１０は干渉突起１４３が移動する経路上に位置し、スライダー１４０が移動するとき、前記干渉突起１４３と干渉する少なくとも一つの位置設定突起１２６ａ〜１２６ｆが形成可能である。
【０１１９】
好ましくは、位置設定突起１２６ａ〜１２６ｆは干渉突起１４３より多い数が備えられる。使用者が操作部１４２を移動させるとき、干渉突起１４３が位置設定突起１２６ａ〜１２６ｆを越える過程で操作感が使用者に伝達されることができる。
【０１２０】
位置設定突起１２６ａ〜１２６ｆの位置は吐出口１２４の開度と対応して決定されるから、使用者は前記操作感に基づいて期設定の開度に対応してスライダー１４０が定位置するように操作することができる。
【０１２１】
ホルダー１１０にはスライダー１４０の移動可能な範囲を制限する少なくとも一つの移動制限突起１２８ａ、１２８ｂが形成可能である。一対の移動制限突起１２８ａ、１２８ｂの間にスライダー１４０が配置できる。
【０１２２】
前記スライダー１４０は第１移動制限突起１２８ａによってそれ以上一方向に移動することができなく、第２移動制限突起１２８ｂによってそれ以上他方向に移動することができない。
【０１２３】
吐出口１２４は、スライダー１４０が第１移動制限突起１２８ａによってそれ以上移動することができない位置で、全く閉鎖することができ（図１０又は図１１参照）、スライダー１４０が第２移動制限突起１２８ｂによってそれ以上移動することができない位置で完全に開放することができる（図１６又は図１７参照）。
【０１２４】
移動制限突起１２８ａ、１２８ｂはスライダー１４０の移動経路を横切る方向に形成され、本実施例ではリブ状に製作される。
【０１２５】
図８を参照すると、干渉突起１４３は操作部１４２の両側にそれぞれ備えられることができる。
【０１２６】
前記第１ハウジング１２１にはいずれか一つの干渉突起１４３の位置を制限するための位置設定突起１２６ａ〜１２６ｆがスリット１２５を基準に一方向に列をなして配置できる。前記第１ハウジング１２１には他の一つの干渉突起１４３の位置を制限するための位置設定突起１２６ａ〜１２６ｆがスリット１２５の反対側に対称状に列をなして配置できる。
【０１２７】
図１０〜図１７を参照すると、芳香器具１００は吐出口１２４を完全開放、１／３開放、２／３開放、完全遮蔽の４種の開度に調節することができ、第１〜６の位置設定突起１２６ａ〜１２６ｆが干渉突起１４３の移動経路上に列をなして配置された。
【０１２８】
図１０又は図１１を参照すると、第１位置設定突起１２６ａは図面を基準に左側から右側にスライダー１４０が移動するうちに最後に干渉突起１４３と干渉するもので、干渉突起１４３が第１位置設定突起１２６ａを越えた後には、スライダー１４０が第１移動制限突起１２８ａと接触することによってそれ以上移動することができない。
【０１２９】
図１２又は図１３を参照すると、第２位置設定突起１２６ｂと第３位置設定突起１２６ｃは吐出口１２４の１／３を開放させるときのスライダー１４０の位置を設定するために形成されたものである。
【０１３０】
吐出口１２４が１／３開放した状態で、干渉突起１４３は第２位置設定突起１２６ｂと第３位置設定突起１２６ｃの間に位置する（以下、１／３開放位置と言う）。
【０１３１】
図１４又は図１５を参照すると、第４位置設定突起１２６ｄと第５位置設定突起１２６ｅは吐出口１２４の２／３を開放させるときのスライダー１４０の位置に対応して形成されたものである。
【０１３２】
吐出口１２４が２／３開放した状態で、干渉突起１４３は第４位置設定突起１２６ｄと第５位置設定突起１２６ｅの間に位置する（以下、２／３開放位置と言う）。
【０１３３】
図１６又は図１７を参照すると、干渉突起１４３が第２／３開放位置から移動するとき、干渉突起１４３が第６位置設定突起１２６ｆを越えた後には、スライダー１４０が第２移動制限突起１２８ｂと接触することによってそれ以上移動することができない。
【０１３４】
このように、位置設定突起１２６ａ〜１２６ｆは、スライダー１４０の操作過程で、吐出口１２４の開度に関連したスライダー１４０の位置を操作感によって使用者に認知させる機能をするだけでなく、期設定の位置（例えば、１／３開放位置と２／３開放位置）に干渉突起１４３が位置した後にはスライダー１４０がさらに移動することを防止する機能もする。
【０１３５】
また、実施例によって位置設定突起の構成が変わることができるのは言うまでもない。例えば、より多い段階で吐出口１２４の開度を調節可能にするためには、もっと多い数の位置設定突起が備えられることができる。
【０１３６】
他の実施例では、スライダー１４０及びホルダー１１０のいずれか一方は干渉突起を含み、他方はスライダー１４０が所定位置にあるときに前記位置設定突起が挿入される位置設定挿入部を含むことができる。この場合、前記位置設定挿入部が吐出口１２４の各開度に対応する位置に形成可能であり、スライダー１４０の移動中に干渉突起１４３が前記位置設定挿入部に挿入することによって使用者に操作感が伝達されることができる。
【０１３７】
以上添付図面を参照して本発明の実施例を説明したが、本発明は前記実施例に限定されるものではなく、相異なる多様な形態に製造されることができ、本発明が属する技術分野で通常の知識を有する者は本発明の技術的思想又は必須特徴を変更しなくて他の具体的な形態に実施可能であることを理解することが可能であろう。したがって、以上で記述した実施例は全ての面で例示的なもので限定的なものではないと理解しなければならない。
【図１】
0006656254.tif 000002
【図２】
0006656254.tif 000003
【図３】
0006656254.tif 000004
【図４】
0006656254.tif 000005
【図５】
0006656254.tif 000006
【図６】
0006656254.tif 000007
【図７】
0006656254.tif 000008
【図８】
0006656254.tif 000009
【図９】
0006656254.tif 000010
【図１０】
0006656254.tif 000011
【図１１】
0006656254.tif 000012
【図１２】
0006656254.tif 000013
【図１３】
0006656254.tif 000014
【図１４】
0006656254.tif 000015
【図１５】
0006656254.tif 000016
【図１６】
0006656254.tif 000017
【図１７】
0006656254.tif 000018
【図１８】
0006656254.tif 000019